(57)【特許請求の範囲】
【請求項１】
腕時計であって、該腕時計で実行されるアプリケーションを見るための外部ディスプレイ装置にワイヤレスで接続され、
前記アプリケーションのためのグラフィカル・ユーザー・インタフェースの生成を含む、当該アプリケーションの実行のためのランタイム環境を提供するプロセッサと、
前記プロセッサによって実行される前記アプリケーションを記憶するメモリと、
バッテリーと、
前記アプリケーションの実行中にグラフィカル・ユーザー・インターフェースを表示するのに適さない出力インターフェースと、
ワイヤレスで前記外部ディスプレイ装置に接続し、前記外部ディスプレイ装置上にグラフィカル・ユーザー・インターフェースを表示するために、前記プロセッサから前記外部ディスプレイ装置まで前記グラフィカル・ユーザー・インターフェースを送信するとともに、１つ以上のユーザー入力装置を有する外部装置によって検出されたユーザー入力を同時に無線で受信するための近距離通信システムと、を含む着用型ケーシングを備え、
前記着用型ケーシングは、時刻表示を有する面板を含むことを特徴とする腕時計。
【請求項２】
長距離通信システムを含まないことを特徴とする請求項１に記載の腕時計。
【請求項３】
前記長距離通信システムは、セルラー通信システムを備えることを特徴とする請求項２に記載の腕時計。
【請求項４】
前記時刻表示は、アナログ時刻表示であることを特徴とする請求項１乃至３のいずれかに記載の腕時計。
【請求項５】
前記面板は、機械的に可動な針を含む機械式の計時器を含むことを特徴とする請求項４に記載の腕時計。
【請求項６】
センサを含まないことを特徴とする請求項１乃至５のうちいずれか一つに記載の腕時計。
【請求項７】
一つのローカルユーザー入力装置を更に備え、その他のユーザー入力装置を含まないことを特徴とする請求項１乃至６のうちいずれか一つに記載の腕時計。
【請求項８】
前記ローカルユーザー入力装置は、ボタンまたはタッチ感応型ベゼルを備えることを特徴とする請求項７に記載の腕時計。
【請求項９】
前記グラフィカル・ユーザー・インターフェースは、ビデオ、選択可能アイテムのメニュー、ゲーム・インターフェースまたはブラウザのうち少なくとも一つを備えることを特徴とする請求項１に記載の腕時計。
【請求項１０】
前記近距離通信システムは、前記プロセッサによって実行されるべき前記アプリケーションとのランタイム対話のために受信したユーザー入力を前記プロセッサにリレーすることを特徴とする請求項１に記載の腕時計。
【請求項１１】
前記外部ディスプレイ装置と前記１つ以上のユーザー入力装置を有する外部装置とは同じ周辺装置であることを特徴とする請求項１に記載の腕時計。
【請求項１２】
前記外部ディスプレイ装置と前記１つ以上のユーザー入力装置を有する外部装置とは別々の周辺装置であることを特徴とする請求項１に記載の腕時計。
【請求項１３】
アプリケーションを移植して実行可能とするためのシステムであって、
通信用の近距離無線システムとディスプレイ・スクリーンとを有する外部ディスプレイ装置と、着用型の携帯型コンピューティング装置とを備え、
前記着用型の携帯型コンピューティング装置は、
前記アプリケーションのためのグラフィカル・ユーザー・インタフェースの生成を含む、当該アプリケーションの実行のためのランタイム環境を提供するプロセッサと、
前記プロセッサで実行される一つ以上のアプリケーションを記憶するメモリと、
バッテリーと、
前記アプリケーションの実行中に、前記グラフィカル・ユーザー・インターフェースを表示するのに適さない出力インターフェースと、
ワイヤレスで前記外部ディスプレイ装置に接続し、前記グラフィカル・ユーザー・インターフェースを前記外部ディスプレイ装置上に表示するために前記プロセッサから前記外部ディスプレイ装置まで前記グラフィカル・ユーザー・インターフェースを送信するとともに、１つ以上のユーザー入力装置を有する前記外部ディスプレイ装置によって検出されたユーザー入力を同時に無線で受信するための近距離通信システムと、を含むことを特徴とするシステム。
【請求項１４】
前記着用型の携帯型コンピューティング装置は、ペンダントまたは腕時計を含むことを特徴とする請求項１３に記載のシステム。
【請求項１５】
前記着用型の携帯型コンピューティング装置は、スマートフォン、タブレット、ラップトップ、または電子書籍リーダーを含まないことを特徴とする請求項１３又は１４に記載のシステム。
【発明の詳細な説明】
【技術分野】
【０００１】
本発明は、一般に、着用型コンピューティングに関し、特に、プロセッシング・リソースとメモリ・リソースを持ちながらも限定的な表示能力しか持たない携帯型装置に関する。
【背景技術】
【０００２】
モバイル機器開発は、スマートフォン、タブレット、ラップトップ・コンピュータ等のコンピューティング装置の広範囲にわたる普及をもたらしてきた。各装置は、高解像度表示技術、ユーザー入力機能、多重センサ、複数のラジオ及びＲＦ通信技術を備えている。これにより、装置は複雑かつ高価となり、また、頻繁に再充電を繰り返すための大型バッテリーが必要になる。
【０００３】
こうした技術に加え、最近ではGoogle Glass（商標）や所謂「スマートウォッチ」等の「着用型コンピューティング」に関心が集まっている。開発が進められている高性能スマートウォッチは、ユーザーの手首に巻くことができるくらいに小さなフォームファクターに縮小されたスマートフォンとなる傾向にある。これにより、表示用およびアプリケーション操作用のディスプレイ・スクリーンが必然的に極小となるので、ユーザーの使用感が劣悪なものになり得る。
【０００４】
利用できる装置の数が非常に増えている中で、各装置はそれ自体のプロセッサ、ディスプレイ、メモリ等を有しているので、ユーザーは、自身のアプリケーションとデータを各装置に反映させるために多くの段階を踏まなくてはならない。そこで、一ユーザーの様々な装置すべてにアプリケーション、データおよびメディアをコピーできるよう、装置を「同期」するサービスが展開している。これにより、データが多様なネットワーク越しに同期されるので、技術的な課題とセキュリティ問題をユーザーに対して突きつけることになる。
【図面の簡単な説明】
【０００５】
以下、添付図面の参照により、本発明の実施形態を一例を挙げて説明するものである。
【０００６】
図１は、携帯型コンピューティング装置の一例を示すブロック図である。
【０００７】
図２〜６は、携帯型コンピューティング装置に係る様々な使用シナリオ例を示す。
【０００８】
図７は、携帯型コンピューティング装置を外部装置とペアリングする方法の一例をフローチャート形式で示したものである。
【０００９】
図８は、携帯型コンピューティング装置を外部装置とペアリングする方法の他の例をフローチャート形式で示したものである。
【００１０】
図９は、本願に係る一例である腕時計の少なくとも一部の分解斜視図である。
【００１１】
図１０は他の一例である腕時計の側面図である。
【００１２】
図１１は、更に他の一例である腕時計の表面平面図である。
【００１３】
図１２は、更に他の一例である腕時計の表面平面図である。
【００１４】
図１３は、更に他の一例である腕時計の表面平面図である。
【００１５】
図１４は、携帯型コンピューティング装置を含む別の使用シナリオ例を概略的に示したものである。
【００１６】
同様のコンポーネントを示す異なる図において、同じ参照番号を用いる場合がある。
【発明を実施するための形態】
【００１７】
本開示は、携帯型コンピューティング装置を記述する。多くの実施形態において、携帯型コンピューティング装置は着用型コンピューティング装置であり、またかかる多くの実施形態において、着用型コンピューティング装置は腕時計である。携帯型コンピューティング装置は、プロセッサ、メモリおよび近距離ワイヤレス通信システムを備える。この装置は、当該装置上のプロセッサで実行されるアプリケーションによって生成される精密なグラフィカル・ユーザー・インターフェースを表示するのに適したディスプレイ・スクリーン等のユーザー・インターフェースを備えていない。従って、この携帯型装置は、ディスプレイを備えた近くの外部装置にワイヤレスで接続し、アプリケーションのグラフィカル・ユーザー・インターフェースを表示してユーザー入力を受けるために当該外部装置を使用する。携帯型装置は、外部装置や周辺装置の入出力能力を無線リンク上で活用することにより、その限られたバッテリー容量をメモリとプロセッシングに集中させることができ、精密なディスプレイや複雑なユーザー入力およびセンサ技術の操作に電力を浪費しない。
【００１８】
本開示は、第一の側面として、腕時計で実行されるアプリケーションを見るための外部ディスプレイ装置にワイヤレスで接続する腕時計を記述する。この腕時計は、時刻を表示できる面板を有する着用型ケーシングを備える。この腕時計は、着用型ケーシング内に、プロセッサと、プロセッサで実行され、グラフィカル・ユーザー・インターフェースを表示するための表示データを生成するアプリケーションを記憶するメモリと、バッテリーと、アプリケーション実行中にグラフィカル・ユーザー・インターフェースを表示するには適さない出力インターフェースと、ワイヤレスで外部ディスプレイ装置に接続され、グラフィカル・ユーザー・インターフェースを表示するために、プロセッサから外部ディスプレイ装置に表示データを送信するための近距離通信システムとを備える。
【００１９】
本開示は、他の側面として、ペアリング開始要求を指すユーザー入力を携帯型コンピューティング装置で受け、これに反応して、携帯型コンピューティング装置内で近距離通信システムを有効にする方法を記述する。ここで、携帯型コンピューティング装置は、プロセッサと、このプロセッサで実行され、グラフィカル・ユーザー・インターフェースを表示するために表示データを生成する少なくとも一つのアプリケーションを記憶するメモリとを備えており、かつ、アプリケーションの実行中にグラフィカル・ユーザー・インターフェースを表示するには適さない出力インターフェースを備えることを特徴とする。この方法は更に、外部ディスプレイ装置からのペアリング要求を近距離通信システムを通じて受け付け、ペアリング要求に応じて、携帯型コンピューティング装置上のユーザー入力装置を介して、ペアリング承認入力が受けられたことを判断し、ペアリング承認入力が受け付けられたとの判断を基に、携帯型コンピューティング装置を外部ディスプレイ装置とペアリングし、アプリケーション実施中に外部ディスプレイ装置上にグラフィカル・ユーザー・インターフェースを表示するためにプロセッサから外部ディスプレイ装置に表示データを送るためのワイヤレス接続を確立することを含む。
【００２０】
本発明は、更なる側面では、コンピュータで実行可能なプログラム指令を記憶し、コンピュータで読取り可能な固定メディアを開示する。該プログラムは、実行される時、一個以上のプロセッサが開示される方法を実施するよう構成される。
【００２１】
本発明の他の側面と特徴は、通常の技術を有する者であれば、以下の諸事例の記載を添付図面を併せて再検討することによって理解するであろう。
【００２２】
本願の一側面によれば、携帯型コンピューティング装置は、ディスプレイ、複数のワイヤレスまたは有線通信モジュール、ユーザー入力装置等の入力／出力装置によって消費される電力とリソースとを最小にするよう構成されるものとして記述される。携帯型コンピューティング装置は、入出力を外部装置に頼りつつも、最大限のデータ記憶、プロセッシング能力およびアプリケーション実行能力を提供するのに適している。近距離ワイヤレス通信は、携帯型コンピューティング装置内に近距離通信モジュールを組み込むことで有効にされてもよい。近距離通信モジュールは、WiFiモジュールを備えてもよい。近距離通信のワイヤレス・リンクは、外部装置で入出力データの低遅延転送に対応できるよう相当の速度とバンドと幅を有さなくてはならない。このリンクは、電力消費の最小化とセキュリティ上の目的上短距離であってよい。最小表示能力は、外部周辺装置とのペアリングを目的とするなど、ユーザーに対して簡易データを示すように組み込まれてよい。携帯型コンピューティング装置は、多くの実施形態において、腕時計等の着用型装置であってよい。
【００２３】
以下に、携帯型コンピューティング装置１０の一例を示す図１のブロック図を参照する。携帯型コンピューティング装置１０は、ペンダント、腕時計等の着用型コンピューティング装置１０であってよい。携帯型コンピューティング装置１０は、プラスチック、金属、またはそれらを組み合わせたハウジング１２を備える。
【００２４】
携帯型コンピューティング装置１０は、ハウジング１２内に、マルチコア・プロセッサ、シングルコア・プロセッサまたは他の構成を含み得る一個以上のプロセッサ１４を備える。以下の例では、一個以上のプロセッサ１４を「プロセッサ１４」と総称する場合があるが、諸実施形態が一個以上のプロセッサを含み得ることは言うまでもない。
【００２５】
携帯型コンピューティング装置１０は、プロセッサ１４に接続されたメモリ１６を備える。メモリ１６は、揮発性と不揮発性との両方のメモリエレメントを備えてよい。メモリ１６は、オペレーティングシステム、アプリケーション、診断モジュール等の、プロセッサ１４が実行するプログラム命令を記憶してよい。メモリ１６は、ユーザーデータ、アプリケーションデータ、通信固有のデータ等をも記憶してよい。メモリ１６の一部またはすべては暗号化されてよい。
【００２６】
携帯型コンピューティング装置１０は、更にバッテリー１８を備えてよい。バッテリー18は充電式であってよい。いくつかの例では、携帯型コンピューティング装置１０は、バッテリー１８を充電するための電源信号を受けるための充電ポート２３を備える。いくつかの実施形態では、充電ポート２３は、携帯型コンピューティング装置１０とパーソナルコンピュータ等の外部装置との間の通信のために、有線接続を提供する場合もある。充電ポート２３は、例えば、マイクロＵＳＢポートであってよい。場合によっては、充電ポート２３はＨＤＭＩ（登録商標）ポート、またはこれに類するものであってよい。場合によっては、充電ポート２３は規格外の専有ポートであってもよい。充電ポート２３を介して外部装置への有線接続がある場合、プロセッサ１４は、ワイヤレス接続の代わりに有線接続を使用するよう構成し、データを外部装置と交換する際にバッテリー電力を節約するよう、また、速度を早めて潜在的問題を減らすようにしてよい。この動作をデフォルト動作とし、かつ／または、ユーザー設定できるようにしてもよい。
【００２７】
携帯型コンピューティング装置１０はまた、近距離通信システム２０を備える。近距離通信システム２０は、携帯型コンピューティング装置１０と一個以上の他の装置との間のワイヤレス通信性を容易にする。一実施形態では、近距離通信システム２０は、一つ以上のIEEE80２.11通信規格に合致したWiFiチップ等のワイヤレスＬＡＮモジュールを備える。
【００２８】
携帯型コンピューティング装置１０は、ディスプレイ２２を更に備えてよい。ディスプレイ２２は、タッチジェスチャーによるデータを受けるためのタッチ感応入力オーバレイを備えてよい。多くの実施形態において、ディスプレイ２２は、携帯型コンピューティング装置１０の面内または別の表面内に敷設された一個以上のＬＥＤライト、小型ＬＥＤディスプレイ面、または一個以上の小型ＬＣＤまたはＬＥＤベースのアイコンに限定されてよい。以下、さらに例を説明する。
【００２９】
多くの実施例において、ディスプレイ２２は、スマートフォン、タブレットまたはラップトップ・コンピュータに見られるＬＣＤまたはＬＥＤのフルスクリーンではない。多くの実施例において、ディスプレイは、電子書籍端末に見られるような電子ペーパー（e-Ink）ディスプレイではない。ディスプレイの表面積は大幅に制限されている場合があり、またいくつかの場合には、一個以上の個々のＬＥＤライトを単に特徴とするものであってよい。一実施形態では、ディスプレイ２２は単色である。
【００３０】
ディスプレイ２２は、バッテリー電力を持続させるために単一かつ小型である。スマートフォン、タブレットまたはラップトップ・コンピュータ上のディスプレイは、大量の電力を消費する。携帯型コンピューティング装置１０はワイヤレスで接続される他の装置のディスプレイ・スクリーンに依存しているので、自身が備える全画面スクリーンを必ずしも特徴とする必要はない。その代わり、通信とプロセッシングに利用できるバッテリー電力を最大にするために、携帯型コンピューティング装置１０の表示能力は極めて限定されているか、または表示能力を持たない。携帯型コンピューティング装置１０の表示能力は、携帯型コンピュータ装置１０上で実行されるアプリケーションによって生成されるグラフィカル・ユーザー・インターフェースを表示するのに適していない。グラフィカル・ユーザー・インターフェースは、ビデオ、画像、アイコン、テキストまたは他のグラフィックデータを含むマルチメディア・データの表示等であってよい。いくつかの事例では、グラフィカル・ユーザー・インターフェースは、ビデオプレーヤー、写真ブラウザ、ウェブ・ブラウザ、ワープロ、スプレッドシートまたはゲーム・インターフェース等である。
【００３１】
携帯型コンピューティング装置１０は、表示能力のための外部装置（本発明では「周辺装置」と称する場合がある）に依存する以外に、外部装置からワイヤレスで受けるユーザー入力（キーストローク、タッチスクリーン・ジェスチャー、マウス入力、または他のユーザー・ナビゲーションおよびデータ入力信号等の入力を含む）に、更に依存することができる。ワイヤレスで受ける他の入力は、携帯型コンピューティング装置１０の固有入力装置の代わりに、（例えば、カメラやマイクからの）画像、ビデオや音声入力等である。従って、携帯型コンピューティング装置１０は、限定的な入力装置２４のみを特徴としてよい。いくつかの実施例では、入力装置２４はタッチ感応面を備える場合がある。いくつかの実施例では、入力装置２４は、一個以上のボタン、キーまたはスイッチを備える場合がある。いくつかの実施例では、入力装置２４は、単一のボタンを備える場合がある。以下に、例を示す。
【００３２】
言うまでもなく、携帯型コンピューティング装置１０は、主にデータ記憶とコンピューティングのための装置である。近距離通信システム２０は、電力を大量消費しおよび／または物理的に大きく、携帯型コンピューティング装置１０からは除外される入出力特徴を有する外部装置と装置１０との接続を可能にする。例えば、携帯型コンピューティング装置１０と併用され得る外部装置は、比較的大型のディスプレイ・スクリーン（テレビ、モニター、タブレット、スマートフォン、ラップトップ・コンピュータ、デスクトップ・コンピュータ等）を有する外部装置等であってよい。携帯型コンピューティング装置１０が活用しようとする外部装置の他の特徴は、タッチ感応入力（例えばタッチスクリーン）、キーパッド、キーボード、カメラ、マイクや他の入力インターフェース、またはナビゲーション・ユーザー・インターフェース等といったより先進のユーザー入力能力である。
【００３３】
プロセッサ１４で実行中のアプリケーションからのランタイム表示データを含むデータのリアルタイム表示を可能にするために、近距離通信システム２０は、比較的広帯域の近距離接続を外部装置に提供する。いくつかの実現例では、他の近距離技術が使われる場合があるが、場合によっては、この近距離接続はWiFiを経由する。いくつかの実現例ではBluetooth（商標）を使用してもよいが、多くの実施形態にとっては、その帯域幅が低過ぎる場合がある。場合によっては、WiFi Direct（商標）を使用してもよい。一般に、近距離通信システム２０は、最適なユーザビリティのために広帯域・低遅延接続を外部装置に提供しなくてはならない。
【００３４】
多くの実施形態では、簡単な携帯性を可能にするために、携帯型コンピューティング装置１０は、物理的にコンパクトなフォームファクターを有している。装置１０を着用型にするために、装置１０は軽量かつ小型であってよい。大型ディスプレイ・スクリーンと長距離ＲＦコンポーネントを除外することで、そうでなければこれらの要素で消費されるはずの膨大なバッテリー・リソースが必要なくなるか、プロセッシングと近距離通信機能にリダイレクトされることになる。これによって、例えばスマートフォンに使用されるとしたら、そのバッテリー寸法の縮小が可能になる。携帯型コンピューティング装置１０は、多くの実施形態において、腕時計として装着できるか、または腕時計に組み込まれる程度に小型であってよい。
【００３５】
ここで、携帯型コンピューティング装置１０に係る第一の使用シナリオを示す図２を参照する。この例では、携帯型コンピューティング装置１０は、ディスプレイ装置３０とペアリングされワイヤレスで通信する。ディスプレイ装置３０は、タブレット、ワイヤレス可能なテレビ、ラップトップ・コンピュータ、スマートフォンまたは同様の装置であってよい。ディスプレイ装置３０および携帯型コンピューティング装置１０は、近距離ワイヤレス接続で通信を行う。一実施形態では、接続は、ディスプレイ装置３０とのWiFi接続を確立するために携帯型コンピューティング装置１０がソフトウェア・アクセス・ポイントの働きをするWiFi Direct接続であってよい。別の実施形態では、接続は、携帯型コンピューティング装置１０でWiFi接続を確立するためにディスプレイ装置３０がソフトウェア・アクセス・ポイントの働きをするWiFi Direct接続である。上述したように、いくつかの実施形態では、WiFi以外の近距離通信プロトコルを使用してもよい。
【００３６】
ディスプレイ装置３０は、いくつかの実施例では、アプリケーション・プログラムと他のソフトウェアを実行できるプロセッサを備えてもよい。それでもなお、携帯型コンピューティング装置１０は、ディスプレイ装置３０のディスプレイ・スクリーン上にアプリケーションのグラフィカル・ユーザー・インターフェースを表示するために、アプリケーション実行のためのランタイム環境として自身のプロセッシング能力を使い、ディスプレイ装置３０とのワイヤレス接続で表示データをリレーする。ディスプレイ装置３０で受信したユーザー入力データは、そのタッチスクリーン、キーボード、キーパッド、ナビゲーションボタンなどを介して、携帯型コンピューティング装置１０にリレーされてプロセッサ１４（図１）に入力される。この意味で、ディスプレイ装置３０は、携帯型コンピューティング装置１０によって、表示出力とユーザー入力の受信のための一個以上のワイヤレス周辺装置として使用される。
【００３７】
図３は別の使用シナリオを例示しており、そこでは、携帯型コンピューティング装置１０は、タブレット４０、スマートフォン４２、ラップトップ・コンピュータ４４等の複数の装置にワイヤレスで接続されている。いくつかの実施形態では、携帯型コンピューティング装置１０は、WiFi Directを使用する様々な装置に接続されてよい。いくつかの例では、タブレット４０および／またはラップトップ・コンピュータ４４等の一個以上の装置は、携帯型コンピューティング装置１０から表示データを受けて、各ディスプレイ・スクリーン上に表示する場合がある。いくつかの例では、スマートフォン４２および／またはタブレット４０またはラップトップ・コンピュータ４４等の別個の装置が、ワイヤレスで携帯型コンピューティング装置１０にリレーされるユーザー入力とナビゲーション・コマンドを受信するために使用される場合がある。
【００３８】
図４は、携帯型コンピューティング装置１０とディスプレイ装置３０が、ともにWiFiワイヤレス・ルーター等のアクセスポイント５０に接続する更なる使用シナリオを例示している。アクセスポイント５０は、携帯型コンピューティング装置１０がリモートサーバーおよび／またはサイトにアクセスできるよう、インターネット６０等の公衆通信回線にワイヤレスか有線で接続してよい。
【００３９】
図５は、また更なる使用シナリオを例示したものであり、ディスプレイ装置３０と携帯型コンピューティング装置１０とが、例えば、WiFi Directを利用してワイヤレスで接続される。いくつかの実施形態では、これら二装置のいずれかが、WiFi Directを有効にするために、ソフトウェア・アクセスポイントを実装する場合がある。この例のディスプレイ装置３０は、例えば、モバイル携帯電話ネットワーク５１を経由して、公衆通信回線（インターネット６０等）との広域ワイヤレス接続を確立するための無線テクノロジーを含む。広域ワイヤレス接続は、例えば、HSPA+、LTE、WiMaxまたは他のモバイルデータ・アクセス技術を使用したデータ接続等であってよい。言うまでもなく、場合によっては、シナリオ例の「公衆通信回線」は、モバイルネットワーク・オペレーター・システムを経由するルーティング通信等であってよい。いくつかの事例では、ディスプレイ装置３０や携帯型コンピューティング装置１０は、データ接続を介して、リモート位置に仮想私設網（VPN）や他のセキュアトンネルを確立してよい。
【００４０】
この例では、携帯型コンピューティング装置１０は、ディスプレイ装置３０によって確立されるデータ接続を利用して、インターネット６０にアクセスする。また、データの表示とユーザー入力の受け付けのためにディスプレイ装置３０を利用する。
【００４１】
図６は、さらに別の使用シナリオを例示している。この場合、携帯型コンピューティング装置１０は、スマートフォン５２等の第一の周辺装置にワイヤレスで接続する。スマートフォン５２は、ワイヤレス広域ネットワークまたは携帯電話ネットワーク５１等を介して、インターネット６０へのデータ接続を有する。携帯型コンピューティング装置１０は、スマートフォン５２によって確立される接続を用いて、インターネット６０にアクセスすることができる。タブレット５４等の表示および入力能力を持つ第二の周辺装置もまた、携帯型コンピューティング装置にワイヤレスで接続している。第一および／または第二の周辺装置は、スマートフォン、テレビジョン、ラップトップ・コンピュータ、タブレット等であってよい。タブレット５４は、データ表示とユーザー入力受信のために、携帯型コンピューティング装置１０によって使用される。
【００４２】
前述の使用シナリオ例は、携帯型コンピューティング装置１０が、近距離にある外部装置を活用して表示能力およびユーザー入力能力を獲得する構成例を提供する。こうした構成とシナリオは、実例として示したものであり、これらに尽きるわけではない。当然ながら、携帯型コンピューティング装置１０は、データ処理／記憶とアプリケーション実行専用である。これにより、携帯型コンピューティング装置１０を装着しているユーザーは、ユーザーにとって望ましいオペレーティングシステムや構成を含む、ユーザーのすべてのデータとアプリケーションを安全な方法で持つことを許される。多様な装置でデータとアプリケーションを複製するのではなく、データとアプリケーションは携帯型コンピューティング装置１０内に止まり、携帯型コンピューティング装置１０は、プロセッシングとプログラムの実行機能を、スマートフォン、タブレット、テレビジョン、キオスク、ターミナル、ラップトップ・コンピュータ、デスクトップ等、ユーザーが遭遇し使用し得る様々な装置に提供する。
【００４３】
これらの装置の一個以上とリンクするために、携帯型コンピューティング装置１０は、他の装置とのワイヤレス・ペアリングを受けるよう、および／または開始するよう構成される。例えば、WiFi Directでは、携帯型コンピューティング装置１０は、外部装置に接続する場合にユーザー承認を義務づける場合がある。携帯型コンピューティング装置１０は、ペアリング認証入力を受けるための、少なくとも一台のボタン、タッチ感応エリア、タッチスクリーン等のユーザー入力メカニズムを備えてよい。
【００４４】
多様なプロセスを利用して、携帯型コンピューティング装置１０を外部装置とワイヤレスでペアリングしてもよい。携帯型コンピューティング装置１０が、近接場通信能力を備えるいくつかの実施形態では、装置同士は、近接通信でペアリングされてよい。ペアリング承認の安全性を強化するために、更なる承認入力を義務付けてもよい。すべての実施形態ではないにせよ、場合によっては、ペアリング・プロセスはワイファイ・プロテクテッド・セットアップ（WPS）規格に合致するものであってよい。WPS規格には、いくつかの実現例では、携帯型コンピューティング装置１０にとって好ましくない特定の脆弱性があることが知られている。
【００４５】
以下に、携帯型コンピューティング装置を外部装置とペアリングする一方法例１００をフローチャート形式で示した図７を参照する。この例の携帯型コンピューティング装置は、ボタン、スイッチ、タッチ感応エリア等を含む少なくとも一台の入力機構を特徴とする。
【００４６】
バッテリー寿命を保ち、セキュリティ攻撃を防ぐために、この例の携帯型コンピューティング装置は、常時アクティブで接続可能な近距離通信サブシステムを持たない。例えば、WiFi/WiFi Directの場合、携帯型コンピューティング装置内のWiFiチップは必ずしもアクティブではなく、ネットワークまたはブロードキャストの可用性を必ずしもスキャンしているわけではない。外部装置とのぺアリングを開始するために、携帯型コンピューティング装置は、ユーザー・インターフェース経由の開始コマンドの入力を待つ。そのようなコマンドの入力は、ボタンや他の操作器を押すか、タッチ感応エリアをタップしたりスワイプするか、（例えば、タッチ感応エリアが環状である場合、環の少なくとも一部の周りをスワイプすることで、ペアリング開始コマンドとして検知される）、または、携帯型コンピューティング装置の限られた入力機能性を利用して検知できる他の定義済みジェスチャーやアクションによって行う。
【００４７】
操作１０２において、携帯型コンピューティング装置は、ペアリング開始コマンドの入力を検知する。これらの例では、入力は、ワイヤレスで受け付けられる入力ではなく、携帯型コンピューティング装置の入力装置を介した入力である。これにより、コマンドが携帯型コンピューティング装置のユーザーによって確実に開始される。それに応じて、携帯型コンピューティング装置は、操作１０２でその近距離通信サブシステムを有効にする。それから、近距離通信サブシステムは、近距離内にある外部装置で、ワイヤレス信号を送受信することができる。言うまでもないが、いくつかの他の実施例では、近距離通信サブシステムは、ペアリング開始コマンドの受信によってではなくなく、デフォルトで有効にされており、操作１０２を省略してもよいことを意味する。
【００４８】
操作１０４において、携帯型コンピューティング装置は、外部装置から近距離通信サブシステム経由でペアリング要求を受ける。いくつかの実施例では、要求は装置の識別を行うか型を示してよい。例えば、要求は、装置がテレビ、ラップトップ・コンピュータ、タブレット、スマートフォン等であるかどうかを示してよい。いくつかの実施例では、要求は、英数字の装置名または他の識別細目等の、装置に関する他の細目を含んでよい。携帯型コンピューティング装置は、大部分の実現例では限定的な表示能力を有しており、要求に係る細目を完全には表示できない場合がある。携帯型コンピューティング装置で十分な表示能力が発揮できる場合、外部装置の名称やその他の細目を表示できるが、そうでない場合は、外部装置に関する限定的な情報のみを表示できるか、まったく表示できない。例えば、装置型式のアイコンは、表示されるか、あるいは（例えば、アイコンが携帯型コンピューティング装置の表面上に敷設されている場合は）照らし出されるようにしてもよい。いくつかの事例では、携帯型コンピューティング装置の表示出力能力に応じて、ＬＥＤまたはその他の可視出力の照光によって、ペアリング要求を、携帯型コンピューティング装置のユーザーに示してよい。少なくともいくつかの実施形態では、外部装置からの要求は、外部装置でのユーザーによる入力に反応するかたちで送られてよい。例えば、ペアリング要求を送らせるユーザー入力は、外部装置が受けてよい。
【００４９】
操作１０６において、携帯型コンピューティング装置は、要求されたペアリングを承認する入力を受けたかどうかを評価する。要求されたペアリング承認のために検知された入力は、操作１０２におけるペアリング・プロセスを開始するために以前検知されたものと同じ入力（例えば、ボタンプッシュ等）、あるいは実現例に応じて異なる種類の入力であってよい。操作１１０において、携帯型コンピューティング装置は、タイマーが操作１０６の承認入力の検知なく経過したかどうかを判定する。もし検知なく経過した場合、要求は拒否される。いくつかの実現例では、タイムアウトの終了がペアリング・プロセスの終了になってもよい。例えば、操作１０２の場合のように、近距離通信サブシステムが他の開始コマンドが検知されるまで機能しないようにする。他の実現例では、要求されたペアリングを終了させるのとは対照的に、異なるタイマーを用いてペアリング・プロセスそのものを終了させてよい。
【００５０】
操作１０６で承認入力が検知されると、外部装置は携帯型コンピューティング装置とペアリングされ、これは操作１０８によって示される。この文脈においてペアリングとは、携帯型コンピューティング装置と外部装置との間に、データを送信できるワイヤレス・リンクを確立することを含む。場合によっては、リンクは固定されており、このことは、リンクを経由して送られるデータが暗号化されることを意味する。いくつかの事例では、リンク経由で送られるデータは、携帯型コンピューティング装置のプロセッサで実行される一つ以上のアプリケーションまたはプロセスに基づく、携帯型コンピューティング装置から外部装置までの表示データおよび／または音声データ、ならびに、外部装置から携帯型コンピューティング装置へのユーザー入力データおよび／またはセンサデータおよび／またはネットワーク通信を含む。
【００５１】
以下に、携帯型コンピューティング装置を外部装置とペアリングするための別の方法例１５０を示す図８を参照する。この方法例１５０では、操作１５２で、携帯型コンピューティング装置のユーザー・インターフェース機構によってペアリング開始コマンドを検知することで、携帯型コンピューティング装置は、この方法１５０を再開する。それに応じて、近距離通信サブシステムがペアリング要求を受けることが可能になる。上述のように、いくつかの実施形態では、近距離通信システムは、ペアリング開始コマンドの入力に基づかず、デフォルトで有効とされてよい。操作１５４において、このシステムは、外部装置からペアリング要求を受け付ける。
【００５２】
この方法例１５０では、外部装置がアクセス・コードを付与する。アクセス・コードは、ペアリング要求において外部装置によって携帯型コンピューティング装置に送ってよいか、または、一組のハンドシェーク通信の一部として、ペアリング要求以降に送ってもよい。外部装置は、外部装置を使ったユーザー入力によってアクセス・コードを取得する。例えば、ユーザーは、携帯型コンピューティング装置でペアリングを有効にするために、ＰＩＮまたはパスワードを入力するよう促される場合がある。いくつかの実施形態では、アクセス・コードは、アクセス・コードを未承認のまま開示することを防ぐために、携帯型通信装置に暗号化されて送られてよい。
【００５３】
操作１５６では、携帯型コンピューティング装置は、ペアリング要求に関して受けたアクセス・コードが有効であるかどうかを評価する。有効でない場合、次に操作１５８で、ペアリング要求を拒否する。アクセス・コードが携帯型コンピューティング装置で認証されると、携帯型コンピューティング装置は、ペアリング要求は受け付け完了との、および、ペアリング要求の承認を示すユーザー入力を待機中との指示を出力する。図７に関連して述べたように、ペアリング要求が受け付けられたことを示す表示は、携帯型コンピューティング装置の限られた表示能力に応じて、点滅ＬＥＤ照明、ペアリング要求を示すアイコンの照光または表示、外部装置の型や名称を詳述する情報の表示、または未完了のペアリング要求に関する他の出力等のＬＥＤ信号出力を含んでもよい。
【００５４】
操作１６０では、携帯型コンピューティング装置は、承認を示すユーザー入力の検出に基づいて、ペアリング要求が承認されたかどうかを判定する。もし承認されていれば、外部装置と携帯型コンピューティング装置とがペアリングされ、これは操作１６２によって示される。関連付けられたタイマーが承認入力を検知せずに終了する場合、ペアリング要求は拒否され、これは操作１６４によって示される。
【００５５】
上述したように、いくつかの実施形態では、携帯型コンピューティング装置は、デフォルトで有効とされ、外部装置とのペアリング要求のスキャン行う近距離通信システムを有してもよい。いくつかの実施形態では、特定の装置と携帯型コンピューティング装置とが交信距離内にあるとき、これらのペアリング速度を上げるために、この装置は「ホワイトリスト化」、すなわち事前承認されてよい。いくつかの実現例では、特定の型またはカテゴリーの装置はブラックリスト化される（例えば、自動的に拒否される）か、またはホワイトリスト化されてよい（例えば、自動的に承認される）。一例では、ペアリング・プロセスが携帯型コンピューティング装置でまだ未開始である限り、および／または、ペアリング開始に装置間の直接的接触が使用されない限り、ホワイトリスト化されていない装置は自動的に拒否される。
【００５６】
いくつかの実施形態では、携帯型コンピューティング装置と外部装置との直接的または近距離内の接触に基づいて、ペアリングが開始されてよい。ペアリングは、加速度計または同種のものによって感知される物理的接触によって開始されてよい。一例では、ある装置のバイブレーターがこの装置のケーシングを介して振動信号を他の装置に伝えてよく、この他の装置においてこの信号は、ペアリング開始時に物理的近接性を保証するよう、加速度計によって検出される。
【００５７】
ペアリング・プロセスは、その能力と仕様（例えば、画面サイズ／解像度）等の特性を携帯型コンピューティング装置に提供するための外部装置を含んでよい。
【００５８】
ある構成では、外部装置は、認証プロセスが完了した後にのみ携帯型コンピューティング装置で利用できる能力を有する。例えば、この外部装置は、その完全な機能性が携帯型コンピューティング装置で利用できるようになる前に有効な支払い情報を要求するキオスク端末または従量制の外部装置であってよい。かかる状況において、ペアリング・プロセス中に、携帯型コンピュータ装置は、モバイル支払いの詳細、クレジットカードの詳細、デビットカードの詳細等の支払い情報を提供するよう促される場合がある。ある場合には、外部装置は、携帯型コンピューティング装置を介してではなく、外部装置上のユーザー・インターフェースを介して、ユーザーに当該の情報を求める場合がある。支払い情報が外部装置により取得され認証されると、能力と機能性は、いかなる使用条件であれこの状況に適用されるものに従って（例えば、限られたレンタル期間の間）、携帯型コンピューティング装置にとって利用できるようなる。
【００５９】
特定の使用条件を承認するために料金の支払いを要求する外部装置とペアリングする際、携帯型コンピューティング装置は、その限定的な表示により、支払いと条件を承認するオプションをユーザーに提示する場合がある。ユーザーは、携帯型コンピューティング装置上の適切な入力装置を作動させることにより、ペアリングを承認するか、または拒否する（例えば、二ボタン実施形態の「OK」または「CANCEL」を押す）。いくつかの例では、携帯型コンピューティング装置が、レンタル期間が終了しそうであることをユーザーに通知するとき、ユーザーは、携帯型コンピューティング装置によってレンタル期間を更新するか、または延長することを許される。
【００６０】
以下に、携帯型コンピンーティング装置１０を含む他の使用シナリオ例を示す図１４を参照する。この使用シナリオは、複雑なゲーム等といったプロセッサ集約型活動の管理を補助する、更なるローカル処理リソースの活用に関連する。この例では、携帯型コンピューティング装置１０で実行しているゲーム・アプリケーションに関する表示および他の入出力のために、携帯型コンピューティング装置１０は、タブレットまたはテレビ／モニター等の外部ディスプレイ装置４０とペアリングされ、これとワイヤレスで通信する。
【００６１】
いくつかの計算／プロセッシング機能をオフロード（負荷の低減）するために、利用可能なプロセッシング・リソースを伴うローカル汎用コンピュータ７０が、携帯型コンピューティング装置１０および／または外部ディスプレイ装置４０によって利用されてよい。汎用コンピュータ７０はプロセッシング・タスクに利用でき、携帯型コンピューティング装置１０および／またはゼロ・コンフィギュレーション技術を使用した外部ディスプレイ装置４０と容易にネットワーク化し得る。汎用コンピュータ７０の可用性は、外部ディスプレイ装置４０上の通知を表示することにより、携帯型コンピューティング装置１０を制御しているユーザーに対して、オプションとして提示されてよい。ユーザーは、外部ディスプレイ装置４０または携帯型コンピューティング装置１０を介して、プロセッシングに汎用コンピュータ７０を使用する認証を入力してよい。場合によっては、汎用コンピュータ７０は、パスワードや他の認証データを受けることを義務づけられてもよい。認証されたら、汎用コンピュータ７０に特定のプロセッシング・タスクをオフロードする判断が、携帯型コンピューティング装置１０によって下される。
【００６２】
ある例では、携帯型コンピューティング装置１０は、特定のコンピュータ・タスクを汎用コンピュータ７０に任せる。汎用コンピュータ７０は、計算タスクの遂行を可能にする指令、コード、パラメータまたは他のデータを受け、結果データを携帯型コンピューティング装置１０に返信する。他の例では、携帯型コンピューティング装置１０は、外部ディスプレイ装置４０と直接に相互作用するようにとの指示をもって、汎用コンピュータ７０に、特定のディスプレイ表示をオフロードするか、またはコンピュータ・タスクを入力／出力してよい。例えば、汎用コンピュータ７０は、ユーザー入力（即ちゲームプレー）の結果として３Ｄモデル化されたゲーム環境の視野に生じた変化の処理／計算と共に、この視野の表示をタスクとして課されてよい。汎用コンピュータ７０によって生成されるオーディオまたはビデオは、場合によっては、外部ディスプレイ装置４０に直接ストリーミングされてよい。
【００６３】
一例では、汎用コンピュータ７０は、現時点で利用できるプロセッシング・リソースに基いて、携帯型コンピューティング装置１０からのプロセッシング要求を承認するか拒否するように構成されてよい。汎用コンピュータ７０は、リソースへのアクセスの競合を解決するために特定のタスクおよび／またはユーザー装置の優先順位を有してもよい。
【００６４】
いくつかの実施形態では、ローカル・エリア（部屋、建物等）は、汎用コンピュータのネットワーク８０を備えてよい。ネットワーク８０は、コンピュータ同士のプロセッシング・タスクの負荷分散や委任を提供してよい。この意味で、ローカルエリアのいずれの携帯型コンピューティング装置も、要求の多いプロセッシング機能をオフロードするために、汎用コンピュータ・ネットワーク８０に全面的に依存する。携帯型コンピューティング装置１０等のシステムは、個々のユーザー装置が補助プロセッシング電力を利用できるようにし、その結果、携帯型装置のバッテリー寿命を延長させ発熱量を減少させ得る。
【００６５】
以下に、本願による携帯型コンピューティング装置の一実施例の少なくとも一部の分解斜視図を示す図９を参照する。本実施形態における携帯型コンピューティング装置は腕時計２００である。腕時計２００のコンポーネント用のケーシングや、腕時計２００をユーザーに固定するストラップやバンドは図示してない。
【００６６】
腕時計２００は、現在時刻を示す時計盤面２０２を備える。この例では、時計盤面２０２はメカニカルハンドを有するアナログ時計面である。他の例では、時計盤面２０２は、デジタルまたはアナログ（即ち、メカニカルハンドの画像）のフォーマットで時間を出力する、例えばＬＥＤや液晶ディスプレイを用いた電子型であってよい。時計盤面２０２は、計時するためのコンポーネントを備えてよい。機械式時計の場合、時計盤面２０２は、主ぜんまい、音叉または他の機械コンポーネント等のすべての機械構造を、その可視面板の下に備えてよい。一実施形態において、時計盤面２０２は、以下に記述する電気コンポーネントに依存するのではなく、独立型の水晶結晶板（または他の電気機械式の時刻ソース）と時間を追尾して表示する電気コンポーネントとを備えるが、電子時計の場合、時計盤面２０２はディスプレイと面板だけであってもよい。
【００６７】
腕時計２００は、デジタル回路２０４とバッテリー２０６とを更に備える。デジタル回路２０４は、適切な相互接続と導体パッドとを有する回路基板２０５と、一個以上のプロセッサ２０８と、メモリ２１０と、近距離通信サブシステム２１２と、この事例ではナビゲーションボタン２１４として例示する少なくとも一つの入力装置とを備える。ボタン２１４は、オプション（例えば、ペアリング要求の承認）の選択に押すことができ、また、時刻／日付の調節および／またはペアリングに利用できる外部装置の選択といった諸特長を変更するために回転可能であってよい。
【００６８】
メモリ２１０は、フラッシュメモリ、ＲＡＭまたは他のタイプの揮発性および不揮発性のコンピュータ可読記憶装置を備えてよい。プロセッサ２０８は、複数のコアを備え、メモリ２１０に記憶されているプログラム命令を含む内蔵プログラム命令を実行するよう構成されてよい。内蔵プログラム命令は、オペレーティングシステム、関連するモジュール／ルーチンおよびアプリケーションを含んでよい。アプリケーションは、マルチメディア・アプリケーション、メッセージング・アプリケーション、生産性アプリケーション、ゲームまたはこれに類する他のアプリケーションであってよい。場合によっては、アプリケーションはオペレーティングシステムと統合される。他の場合には、アプリケーションはオペレーティングシステムとは別に、オペレーティングシステムをインストールした後に、腕時計２００に追加されてよい。アプリケーションは、アプリケーションストアやウェブサイトからダウンロードできるサードパーティ・アプリケーション（アプリケーションを腕時計２００のオペレーティングシステム上で実行可能にする）を含んでよい。
【００６９】
近距離通信サブシステム２１２は、WiFiチップ、WiFi Directチップ、Bluetooth（登録商標）チップ、または異なる近距離通信プロトコルを実装する他のチップを備えてよい。若干の実施例（図示せず）では、複数の近距離通信サブシステム２１２が、腕時計２００に在ってよい。
【００７０】
ケーシング（図示せず）は、バッテリー２０６をデジタル回路２０４に接続するのに適当な配線を備えてよい。腕時計２００は、いくつかの実施形態では、バッテリー２０６を再充電するための充電ソースとの物理的またはワイヤレスによる接続を受けるための入力ポート（図示せず）および関連する充電回路（図示せず）を備える。
【００７１】
以下、腕時計２２０の一実施形態例の側面図を示す図１０を参照する。この例の腕時計２２０は、ケーシング２２２と時計盤面２２６とを備える。ケーシングから突出しているのは、ユーザー入力を受け付けるためのアクチュエータ２２４である。アクチュエータ２２４は、押しボタンや同様のものであってよい。言うまでもなく、多くの実施例は、選択（YES／NOまたはOK／CANCEL）またはメニュー・ナビゲーション（UP／DOWN／SELECTまたはSELECT／NEXT）を信号として送るための二個以上のアクチュエータ（アクチュエータ２３０、２３２等）を備えてよい。場合によっては、アクチュエータは一個以上のタッチ感応面、ボタン、トグルスイッチであってよい。いくつかの実現例では、一個以上のアクチュエータは「ソフトキー」であり、これは、その関連機能／意味は「ソフトウェア可変」であることを意味する。
【００７２】
いくつかの実施形態によれば、一個以上のアクチュエータ２２４、２３０、２３２は、他のアクチュエータから区別するための特徴的なデザインや色であってよい。例えば、ボタンは四角形、三角形、円形、六角形等であってよい。別の例では、各ボタンが異なる色であってよい。
【００７３】
この例では、ケーシング２２は、視覚信号を出力するための一個以上のＬＥＤ照明（図示せず）を備えてよい。ＬＥＤ照明は、腕時計２００内のプロセッサまたはアプリケーションのステータスや状態に関する情報をユーザーに伝えるのに用いてよい。例えば、ＬＥＤ照明は、低電圧状態、充電状態、ペアリング要求保留状態、ペアリング状態、電源オン状態、または他の状態の情報を示すのに用いてよい。
【００７４】
以下、他の腕時計２４０の例の平面図を示す図１１を参照する。この例では、腕時計２４０は、機械式または電気的な時刻ソースで駆動し、アナログ時間指標を特徴とする時計盤面２４２を備える。時刻指標自体は、腕時計内の機械的または電気機械的な時間管理メカニズムによって軸の周りを回転するよう駆動される物理的なメカニカルハンドか、あるいは、アナログ時刻表示のディスプレイでもよい。いくつかの実施形態では、時間指標がディスプレイ上に表示される場合には、時計盤面２４２はタッチ感応型であってよい。
【００７５】
腕時計２４０は、少なくとも時計盤面２４２の一部を囲むベゼル２４４を備える。この例に図示されるベゼル２４４は環状であり、時計盤面２４２を囲む。この例のベゼル２４４はタッチ感応型である。従って、ベゼル２４４は、腕時計２４０内のプロセッシング要素への入力装置として機能するよう構成される。いくつかの実施形態では、ベゼル２４４は、状態情報をユーザーに通知するディスプレイでもある。
【００７６】
以下、腕時計２５０の更に別の一例を示す図１２を参照する。この例では、腕時計２５０は、時計盤面２５２と、入力アクチュエータ２５６と、時計盤面２５２内に敷設された複数のディスプレイ要素（この場合はＬＥＤ２５４、または個々には２５４ａ、２５４ｂ、２５４ｃ、２５４ｄとして示される）とを備える。いくつかの実施形態例では、時計盤面２５２のカットアウトは、あるデザインまたはアイコンを採用し、一個以上のＬＥＤ２５４がこのデザインまたはアイコンを照光するようにしてよい。このような方法で、各ＬＥＤ２５４は、ユーザーに異なる情報や状態を示してよい。
【００７７】
以下、腕時計２６０の更なる一例の平面図を示す図１３を参照する。この例では、腕時計２６０は時計盤面２６２を備え、また、時計盤面２６２の少なくとも一部はディスプレイ・エリア２６４を含む。いくつかの実施形態では、ディスプレイ・エリア２６４は、時計盤面２６２全体を構成してよい。ディスプレイ・エリア２６４は、グラフィクスとテキストとを表示するために、ＬＣＤディスプレイ・スクリーンかＬＥＤディスプレイ・スクリーンを備えてよい。いくつかの実施形態では、ディスプレイ・エリア２６４は、入力装置としても機能するようにタッチ感応型であってよい。
【００７８】
本明細書に記載される携帯型コンピューティング装置内のプロセッサ、および記載された方法／プロセスを実施するいずれのモジュール、ルーチン、プロセス、スレッドまたは他のソフトウェア・コンポーネントも、標準的なコンピュータ・プログラミング技術と言語とを使用して実現され得ることが理解されよう。本発明は、特定のプロセッサ、コンピュータ言語、コンピュータ・プログラミング規則、データ構造、他の係る実施詳細に限定されない。当業者には明らかなように、記載されたプロセスは、揮発性か不揮発性のメモリに記憶されたコンピュータ-実行コードの一部、アプリケーション特有の統合チップ（ASIC）の一部等として実施される。
【００７９】
記載された実施形態に対しては、特定の変更および修正を加えることができる。従って、上に議論された実施形態は実例であり、これに限定されるものではないと考えられる。
【図１】
0006503376.tif 000002
【図２】
0006503376.tif 000003
【図３】
0006503376.tif 000004
【図４】
0006503376.tif 000005
【図５】
0006503376.tif 000006
【図６】
0006503376.tif 000007
【図７】
0006503376.tif 000008
【図８】
0006503376.tif 000009
【図９】
0006503376.tif 000010
【図１０】
0006503376.tif 000011
【図１１】
0006503376.tif 000012
【図１２】
0006503376.tif 000013
【図１３】
0006503376.tif 000014
【図１４】
0006503376.tif 000015